(57)【要約】      （修正有）【課題】容易に組み立てることができる、オスプラグ及びメスソケットを備える非方向性の電線対基板コネクタを提供する。【解決手段】電線対基板コネクタ１０は、オスプラグ１２及びメスソケット１４を備え、オスプラグはメスソケットに向かって移動すると、オスプラグの第１の本体がメスソケットの接合空間に向かって非方向性的に移動し、オスプラグの第１の開口をメスソケットの第１のギャップに対応させ、オスプラグの第２の開口を第２のギャップに対応させて、又はオスプラグの第１の開口をメスソケットの第２のギャップに対応させ、オスプラグの第２の開口をメスソケットの第１のギャップに対応させて、導線の他端を通過し、オスプラグの複数の弾性部を変形することでオスプラグの複数の留め具とメスソケットの複数の接合部材とをロックし、又は複数の弾性部を変形することで複数の留め具と複数の接合部材とのロックを解除する。【選択図】図１
0003226841.tif 000002
【実用新案登録請求の範囲】
【請求項１】
導線に接続される非方向性の電線対基板コネクタであって、
前記導線の一端を設置するための収容空間が形成された第１の本体と、それぞれが前記第１の本体の両側に設けられた複数の弾性部とを含むオスプラグと、
前記第１の本体と接合するための接合空間が形成された第２の本体と、第１のギャップ及び第２のギャップがそれぞれ形成された複数の接合部材とを含むメスソケットと、
を備え、
前記第１の本体の別の両側にはそれぞれ、前記導線の他端を通過するための第１の開口及び第２の開口が形成され、各弾性部は前記第１の本体の両端から延在し接合して閉空間を形成し、前記各弾性部の外側には留め具が形成され、
前記複数の接合部材は、それぞれ前記接合空間の両側に形成され、且つ複数の留め具に対応して設けられ、
前記第１の本体は前記接合空間に向かって非方向性的に移動し、前記第１の開口を前記第１のギャップに対応させ、前記第２の開口を前記第２のギャップに対応させて、又は前記第１の開口を前記第２のギャップに対応させ、前記第２の開口を前記第１のギャップに対応させて、前記導線の前記他端を通過し、前記複数の弾性部を変形することで前記複数の留め具と前記複数の接合部材とをロックし、又は前記複数の弾性部を変形することで前記複数の留め具と前記複数の接合部材とのロックを解除することを特徴とする非方向性の電線対基板コネクタ。
【請求項２】
前記第２の本体に設けられ、前記メスソケットをプリント回路基板に固定するための固定部材を更に備えることを特徴とする請求項１に記載の非方向性の電線対基板コネクタ。
【請求項３】
前記固定部材は、それぞれ前記第２の本体の両側に設けられることを特徴とする請求項２に記載の非方向性の電線対基板コネクタ。
【請求項４】
前記第１の本体は、第１の位置決め部材を更に含み、
前記第２の本体は、第２の位置決め部材を更に含み、
前記第１の位置決め部材と前記第２の位置決め部材との結合により、前記第１の本体が前記接合空間に設置されることを特徴とする請求項１に記載の非方向性の電線対基板コネクタ。
【請求項５】
前記複数の接合部材はＬ字形の接合部材であり、
前記複数の留め具は突起であり、
前記Ｌ字形の接合部材は前記突起にロックされることで、前記複数の弾性部を前記第２の本体にロックすることを特徴とする請求項１に記載の非方向性の電線対基板コネクタ。
【請求項６】
前記メスソケットの前記第１のギャップに隣接して設けられた第１の電気ピンと、
前記メスソケットの前記第２のギャップに隣接して設けられた第２の電気ピンと、を更に備え、
前記第１の電気ピンと前記第２の電気ピンとは、前記導線に接続されることを特徴とする請求項１に記載の非方向性の電線対基板コネクタ。
【請求項７】
前記導線と接合するための複数の導電性シートを更に備えることを特徴とする請求項６に記載の非方向性の電線対基板コネクタ。
【請求項８】
前記複数の導電性シートは、前記第１の電気ピンと前記第２の電気ピンに接続されることを特徴とする請求項７に記載の非方向性の電線対基板コネクタ。
【請求項９】
前記オスプラグは、上蓋体及び下蓋体により構成されることを特徴とする請求項１に記載の非方向性の電線対基板コネクタ。
【考案の詳細な説明】
【技術分野】
【０００１】
本考案は、非方向性の電線対基板コネクタの技術分野に関わり、特に非方向性の組み立てることができる非方向性の電線対基板コネクタに関するものである。
【背景技術】
【０００２】
従来のコネクタにおけるオスプラグ及びメスソケットは、特定方向の接続方式を持っているため、設置された方向に従って組み立てるしかできない。
【考案の概要】
【考案が解決しようとする課題】
【０００３】
しかしながら、方向性コネクタは、回路のレイアウトを制限する。設計者が制限なく回路レイアウトを実現できる、又は組み立て者が容易に組み立てることができるように、本考案は、非方向性の電線対基板コネクタを提供する。
【課題を解決するための手段】
【０００４】
本考案の第一の目的は、導線に適用され、導線を回路基板に非方向性に自由に取り付けたり、回路基板から取り外すことができる非方向性の電線対基板コネクタを提供する。
【０００５】
本考案の第二の目的は、前記非方向性の電線対基板コネクタにより、オスプラグのロック部材によってケーブルをメスソケットの接合部材に係合する。
【０００６】
本考案の第三の目的は、前記非方向性の電線対基板コネクタにより、固定部材によってメスソケットを回路基板又は基板に固定する。
【０００７】
本考案の第四の目的は、前記非方向性の電線対基板コネクタにより、１８０度の非方向性の設置を提供する。
【０００８】
本考案の第五の目的は、前記非方向性の電線対基板コネクタにより、電気ピンと導電性シートとの連結によって、導線を回路基板に電気的に接続する。
【０００９】
以上の目的及び他の目的を達成するために、本考案は、導線に接続された非方向性の電線対基板コネクタを提供する。前記非方向性の電線対基板コネクタは、オスプラグ及びメスソケットを備える。前記オスプラグは、第１の本体及び複数の弾性部を含む。前記第１の本体には、前記導線の一端を設置できる収容空間が形成され、前記複数の弾性部がそれぞれ前記第１の本体の両側に設けられる。前記導線の他端が通過できるように、前記第１の本体の別の両側には、それぞれ第１の開口及び第２の開口が形成される。また、各弾性部は前記第１の本体の両端から延在し接合して１つの閉空間を形成し、前記各弾性部の外側には留め具が形成される。前記メスソケットは、第２の本体及び複数の接合部材を含む。前記第２の本体には、前記第１の本体と接合可能な接合空間が形成される。前記第２の本体は、第１のギャップ及び第２のギャップをそれぞれ形成する。前記複数の接合部材は、それぞれ前記接合空間の両側に形成され、且つ複数の留め具に対応して設けられる。前記第１の本体は前記接合空間に向かって非方向性的に移動し、前記第１の開口を前記第１のギャップに対応させ、前記第２の開口を前記第２のギャップに対応させて、又は前記第１の開口を前記第２のギャップに対応させ、前記第２の開口を前記第１のギャップに対応させて、前記導線の他端を通過し、前記複数の弾性部を変形することで前記複数の留め具と前記複数の接合部材とをロックし、又は前記複数の弾性部を変形することで前記複数の留め具と前記複数の接合部材とのロックを解除する。
【００１０】
従来の技術と比較して、本考案の非方向性の電線対基板コネクタは、非方向性の接続を提供し、接続の過程で、オスプラグのロック部材によって導線を収容空間にロックでき、且つオスプラグの両側における留め具がメスソケットにおける接合部材に接合されることで、オスプラグとメスソケットに対するロック及びロック解除の動作を行う。
【図面の簡単な説明】
【００１１】
【図１】図１は本考案の実施例にかかる非方向性の電線対基板コネクタの構造を示す図である。
【図２】図２は本考案の図１にかかるオスプラグの詳しい構造を示す図である。
【図３】図３（ａ）は本考案の図１にかかるオスプラグの上面図である。（ｂ）は本考案の図１にかかるオスプラグの斜視図である。
【図４】図４は本考案の図１にかかるメスソケットの上面図である。
【考案を実施するための形態】
【００１２】
本考案の目的、特徴及び効果を十分に理解するために、後述の実施例及び図面に基づいて、本考案を説明する。
【００１３】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１４】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１５】
図１は本考案の実施例にかかる非方向性の電線対基板コネクタの構造を示す図である。図１において、非方向性の電線対基板コネクタ１０は導線２を図３（ａ）及び図３（ｂ）に示すように接続する。例えば、導線２は、同軸ケーブル、単芯線、ツイストペア、フレキシブルフラットケーブルなどの電源、信号、接地に関連する金属線材のタイプであってもよい。
【００１６】
前記非方向性の電線対基板コネクタ１０は、オスプラグ１２及びメスソケット１４を備える。
【００１７】
図２は本考案の図１にかかるオスプラグの詳しい構造を示す図である。オスプラグ１２は、第１の本体１２２及び複数の弾性部１２４を含む。前記第１の本体１２２には、導線２の一端（例えば、接続しようとする回路基板の一端）を設置できる収容空間ＳＰが形成される。前記複数の弾性部１２４は、それぞれ前記第１の本体１２２の両側に設けられる。導線の他端（例えば、電源又は信号に接続された一端）が通過できるように、前記第１の本体１２２の両側（短辺）には、それぞれ第１の開口１２６及び第２の開口１２８が形成される。また、各弾性部１２４は前記第１の本体１２２の両端から延在し接合して１つの閉空間ＣＳＰを形成し、前記各弾性部１２４の外側には留め具１２４２が形成される。
【００１８】
図３（ａ）は本考案の図１にかかるオスプラグの上面図である。（ｂ）は本考案の図１にかかるオスプラグの斜視図である。図３（ａ）において、オスプラグ１２は、溝又は突起である第１の位置決め部材１２１０をさらに含み、これは後述する第２の位置決め部材１４１０に従って設計されてもよい、前記第１の位置決め部材１２１０と前記第２の位置決め部材１４１０との結合により、第１の本体１２２が接合空間ＣＳＰ’に設置される。図３（ｂ）において、オスプラグ１２は、導線２と接合できる導電性シート１２１２をさらに含み、当該導電性シート１２１２の形態は限定されない。前記導電性シート１２１２は、後述する第１の電気ピン１４１２及び第２の電気ピン１４１４を接続できる。
【００１９】
別の実施例では、オスプラグ１２は上蓋体及び下蓋体により構成されてもよい。
【００２０】
図４は本考案の図１にかかるメスソケットの上面図である。メスソケット１４は、第２の本体１４２及び複数の接合部材１４４を含む。
【００２１】
第２の本体１４２には、第１の本体１２２と接合可能な接合空間ＣＳＰ’が形成される。前記第２の本体１４２は、第１のギャップ１４６及び第２のギャップ１４８をそれぞれ形成する。前記複数の接合部材１４４は、それぞれ前記接合空間ＣＳＰ’の両側に形成され、且つ複数の留め具１２４２に対応して設けられる。また、前記接合空間ＣＳＰ’の形状は、オスプラグ１２の外郭に従って設置される。
【００２２】
別の実施例では、メスソケット１４は、固定部材１４１６を更に含む。前記固定部材１４１６は、前記メスソケット１４をはんだ付け、接着、係合などの方式でプリント回路基板に固定できるように、第２の本体１４２に設けられる。前記固定部材１４１６の数は制限されなくてもよい、ここで、前記固定部材１４１６は２つを例に説明し、前記固定部材１４１６は、それぞれ前記第２の本体１４２の両側に設けられる。
【００２３】
第１の本体１２２は接合空間ＣＳＰ’に向かって非方向性的に移動すると、第１の開口１２６を第１のギャップ１４６に対応させ、第２の開口１２８を第２のギャップ１４８に対応させて、又は前記第１の開口１２６を前記第２のギャップ１４８に対応させ、前記第２の開口１２８を前記第１のギャップ１４６に対応させて、導線２の他端を通過し、弾性部１２４を変形することで留め具１２４２と接合部材１４４とをロックし、又は前記弾性部１２４を変形することで前記留め具１２４２と前記接合部材１４４とのロックを解除する。
【００２４】
本実施例では、メスソケット１４は、第１の電気ピン１４１２及び第２の電気ピン１４１４を更に含む。前記第１の電気ピン１４１２は、前記メスソケット１４の第１のギャップ１４６に隣接して設けられ、前記第２の電気ピン１４１４は、前記メスソケット１４の第２のギャップ１４８に隣接して設けられる。前記第１の電気ピン１４１２と前記第２の電気ピン１４１４とは、導線２に接続されてもよい。
【００２５】
特に、１つの実施例では、接合部材１４４はＬ字形の接合部材であってもよい、留め具１２４２は突起であり、前記Ｌ字形の接合部材は前記突起にロックされることで、弾性部１２４を第２の本体１４２にロックする。
【００２６】
また、オスプラグ１２は対称的に設計されるので、前記オスプラグ１２をメスソケット１４に非方向性的に設置できる。
【００２７】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００２８】
２…導線
１０…非方向性の電線対基板コネクタ
１２…オスプラグ
１２２…第１の本体
１２４…弾性部
１２４２…留め具
１２６…第１の開口
１２８…第２の開口
１２１０…第１の位置決め部材
１２１２…導電性シート
１４…メスソケット
１４１０…第２の位置決め部材
１４１２…第１の電気ピン
１４１４…第２の電気ピン
１４１６…固定部材
１４２…第２の本体
１４４…接合部材
１４６…第１のギャップ
１４８…第２のギャップ
ＳＰ…収容空間
ＣＳＰ…閉空間
ＣＳＰ’…接合空間
【図１】
0003226841.tif 000003
【図２】
0003226841.tif 000004
【図３】
0003226841.tif 000005
【図４】
0003226841.tif 000006